(57)【要約】  【課題】    筆立て本体と音声出力装置の結合により、音声再生機能を兼ね備えた筆立てを形成すると共に、さらに写真フレームを連結し、筆立ての付加価値を増進する、音声出力装置付筆立ての提供。  【解決手段】    主に筆立て本体、写真フレーム、音声出力装置等を含み、そのうち、筆立て本体内を二分し独立した上収納空間と下収納空間を設け、上収納空間は上方に開口部を備え、文具を収納することができ、写真フレームを筆立て本体の周縁部に垂直に軸着して設け、写真フレームは回動可能で外側へ向かって開くか内側へ向かって畳むことができると共に、音声出力装置は少なくとも信号増幅器及びスピーカから構成され、且つ、この音声出力装置を筆立て本体の下収納空間内に設置し、筆立て本体と音声出力装置を結合して音声出力機能と写真フレーム機能を形成する。  【選択図】    図１
0003114837.tif 000002
【実用新案登録請求の範囲】
【請求項１】
少なくとも筆立て本体と、音声出力装置とを含み、そのうち、該筆立て本体はその内部を二つに隔てて上収納空間及び下収納空間を形成し、該上収納空間はその上方に開口部を備え、文具を収納することができ、該下容置空間の両側にスピーカ孔を開設し、該音声出力装置は、信号増幅器及び１つ以上のスピーカから構成され、該音声出力装置を該筆立て本体の下収納空間内に設置し、該スピーカを該筆立て本体のスピーカ孔に対応させ、該信号増幅器により外部からの音源信号を適切に増幅した後該スピーカに出力し、該スピーカ孔から外部へ向かい音声を発する、音声出力装置付筆立て。        
【請求項２】
前記筆立て本体の周縁部に１つ以上の写真フレームを垂直に軸着して設置し、該写真フレームが回動可能であり、外側へ向かって開いた状態と、内側へ向かって畳んだ状態の異なる状態を形成可能である、請求項１に記載の音声出力装置付筆立て。
【請求項３】
前記信号増幅器上に音声信号を入力可能な音源挿入孔を設け、下収納空間背面に設けた背面凹み部から該音源挿入孔を外部へ露出し、外部音源に接続することができる、請求項１に記載の音声出力装置付筆立て。
【請求項４】
前記音源挿入孔が、ＵＳＢメスコネクタまたはＡＶ端子ジャックのうちの１つである、請求項３に記載の音声出力装置付筆立て。
【考案の詳細な説明】
【技術分野】
【０００１】
本考案は音声出力装置付筆立てに関し、詳細には、音声を増幅・出力することができ、且つ、写真フレームを結合した、音声出力装置付筆立てに関する。
【背景技術】
【０００２】
従来の筆立ての構造は、そのほとんどが中央に凹み孔を設けただけの中空容器であり、その機能もまた単純にペンや定規、カッター等の文具を収納するだけである。しかしながら、現代の消費市場の劇烈な競争に直面し、上述のような従来の筆立て製品は、外観デザインにおいては絶え間なく創作・変化が加えられているものの、実質上は競争力を向上する有効な手段に欠けており、このため、例えば筆立て底部に朱肉ケースを結合させるなど、筆立てにその他製品を組み合わせた設計で、筆立て製品の付加機能向上が図られている。このため、いかに多くの機能が異なる製品を結合させ、製品の付加価値を増進するかが、関連業界が努力を続ける課題となっている。
【０００３】
従来の筆立ての構造における上述の欠点に鑑みて、本考案はこれら欠点に対して研究を重ね、本考案が生まれることとなった。
【考案の開示】
【考案が解決しようとする課題】
【０００４】
本考案の主な目的は、主に筆立て本体に、上方に開口部を備えた上収納空間及び音声出力装置を収納できる下収納空間を設け、且つ、この下収納空間の両側面に開口したスピーカ孔を設け、音声出力装置が発生する音声を外部へ向かって拡散し、この筆立て本体と音声出力装置の結合により、音声再生機能を兼ね備えた筆立てを形成し、その付加価値を増進する、音声出力装置付筆立てを提供することにある。
【０００５】
本考案の別の目的は、この音声出力装置付筆立ての筆立て本体周縁部に１つ以上の写真フレームを垂直に軸着して設置し、この回動・折り畳み可能な写真フレームにより、さらにこの筆立て本体の付加価値を増進する、音声出力装置付筆立てを提供することにある。
【課題を解決するための手段】
【０００６】
本考案の音声出力装置付筆立ては、主に筆立て本体、写真フレーム、音声出力装置等を含み、そのうち、筆立て本体内を二分し独立した上収納空間と下収納空間を設け、上収納空間は上方に開口部を備え、文具を収納することができ、写真フレームを筆立て本体の周縁部に垂直に軸着して設け、写真フレームは回動可能で外側へ向かって開くか内側へ向かって畳むことができると共に、音声出力装置は少なくとも信号増幅器及びスピーカから構成され、且つ、この音声出力装置を筆立て本体の下収納空間内に設置し、筆立て本体と音声出力装置を結合して音声出力機能と写真フレーム機能を形成する。
【考案を実施するための最良の形態】
【０００７】
本考案の詳細な構造、応用原理、作用及び効果については、以下の図面に基づく詳細な説明を参照すると、完全に理解することができる。
【０００８】
図１に本考案の立体分解図を示す。加えて図２、図３の組み立て後の状態を参照するとはっきりと分かるように、本考案は主に、筆立て本体１、写真フレーム２及び音声出力装置３等の部分を含み、そのうち、筆立て本体１内に上下に分かれた上収納空間１１及び下収納空間１２を設け、そのうち上収納空間１１の上部に開口部を形成し、ここにはペンや定規、カッター等の文具を収納することができる。下収納空間１２は底部に開口部を備え、下収納空間１２の両側側面にスピーカ孔１２１を開設し、且つ、下収納空間１２の背面に背面凹み部１２３を設ける。さらに、写真フレーム２を筆立て本体１の周縁部に垂直に軸着して設け、この写真フレーム２は回動可能であり、外側へ向かって開いた状態と内側へ向かって畳んだ状態の異なる状態を形成することができる。音声出力装置３は、信号増幅器３１及び１つ以上のスピーカ３２から構成され、且つ、この信号増幅器３１上に音声信号を入力可能な音源挿入孔３１１を設け、この音声出力装置３を筆立て本体１の下収納空間１２内に設置し、且つ、底板１２２を下収納空間１２の底部に被せると、この音声出力装置３と筆立て本体１が結合され、このとき、信号増幅器３１の音源挿入孔３１１が背面凹み部１２３から外部に露出し、且つ、２つのスピーカ３２が側面のスピーカ孔１２１に対応し、音声を出力することができる。
【０００９】
図４に本考案の使用状態を示す立体図を示す。この図から分かるように、本考案の信号増幅器３１は、伝送ケーブル５を介して音源挿入孔３１１を予め設置されたパーソナルコンピュータに接続し、ＭＰ３やＭＰ４、その他オーディオ信号を含む音声信号を入力することができる。また、実際の応用において、この音源挿入孔３１１はＵＳＢ、ＡＶ端子等異なる規格としてもよく、異なる外部音源装置の接続に対応することができる。
【００１０】
上述から分かるように、本考案の音声出力装置付筆立ての構造は、音声増幅・出力機能と写真フレームを結合した効果を確実に得ることができ、産業的利用価値と、新規性、進歩性の条件を確かに兼ね備えている。
【００１１】
但し、以上の説明は、本考案の最良の実施例に基づくものであり、本考案の実施の範囲を制限するものではなく、本考案の請求の範囲に基づくあらゆる変化や修飾もすべて本考案の特許範囲に含まれるものとみなす。
【図面の簡単な説明】
【００１２】
【図１】本考案の立体分解図である。
【図２】本考案の背面立体斜視図である。
【図３】本考案の正面立体斜視図である。
【図４】本考案の使用状態を示す立体斜視図である。
【符号の説明】
【００１３】
１        筆立て本体
１１      上収納空間
１２      下収納空間
１２１    スピーカ孔
１２２    底板
１２３    背面凹み部
２        写真フレーム
３        音声出力装置
３１      信号増幅器
３１１    音源挿入孔
３２      スピーカ
４        パーソナルコンピュータ
５        伝送ケーブル
【図１】
0003114837.tif 000003
【図２】
0003114837.tif 000004
【図３】
0003114837.tif 000005
【図４】
0003114837.tif 000006